【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
アンテナと、
前記アンテナを介して受信された目標信号、雑音、および干渉を出力するように構成される第１の増幅器と、
前記第１の増幅器の前記出力に基づいて、デジタルサンプルを生成するように構成されるスライサと、
前記第１の増幅器が前記目標信号ではなく、前記雑音および干渉を出力することが予測される場合、１以上の時間間隔の期間の前記デジタルサンプルの値の合計に基づいて前記第１の増幅器に対する第１の利得を決定するように構成される自動利得制御器と、
を具備する無線通信装置。
【請求項２】
前記目標信号は、複数のパルスを有し、前記自動利得制御器は、前記目標信号の前記パルスの少なくとも１以上のパルスがいつ前記第１の増幅器の前記出力に現われるかを知らず、前記自動利得制御器は、前記１以上の時間間隔が前記第１の増幅器の前記出力において前記１以上のパルスの存在と一致する可能性を減らすために前記１以上の時間間隔をスケジュールするように構成される、請求項１の装置。
【請求項３】
前記目標信号は、時間飛び越し方法で送信された複数のパルスを具備し、前記自動利得制御器は、前記１以上の時間間隔が前記第１の増幅器の前記出力において前記１以上のパルスの存在と一致する可能性を減らすために前記１以上の時間間隔をスケジュールするように構成される、請求項１の装置。
【請求項４】
前記自動利得制御器は、前記第１の増幅器の前記出力に現われる前記目標信号と一致する前記１以上の時間間隔による誤差に基づいて、前記第１の増幅器の前記第１の利得を決定するように構成される、請求項１の装置。
【請求項５】
前記自動利得制御器は、前記１以上の時間間隔の期間に前記スライサによって生成された多くの前記デジタルサンプルに基づいて、前記第１の増幅器の前記第１の利得を決定するように構成される、請求項１の装置。
【請求項６】
前記自動利得制御器は、前記１以上の時間間隔の各々に対応する前記デジタルサンプルの数と比較して前記デジタルサンプルの前記値の合計の割合に基づいて、前記第１の増幅器の前記第１の利得を決定するように構成される、請求項１の装置。
【請求項７】
前記自動利得制御器は、前記割合と前記スライサの閾値に関連付けられた規定値との比較に基づいて、前記第１の増幅器の前記第１の利得を決定するように構成される、請求項６の装置。
【請求項８】
前記自動利得制御器は、前記比が前記規定値に実質的に等しくなるまで前記第１の利得を調整することによって、前記第１の増幅器の前記第１の利得を決定するように構成される、請求項７の装置。
【請求項９】
前記自動利得制御器は、前記比が前記規定値に実質的に等しくなるまで、前記第１の利得、前記規定値、または前記第１の利得と前記規定値の両方を調整することによって、前記第１の増幅器の前記第１の利得と前記規定値の両方を制御するように構成される、請求項７の装置。
【請求項１０】
前記自動利得制御器は、
a）前記第１の増幅器に対する利得の現在範囲を決定することと、
b）前記第１の増幅器に対する利得の範囲内の現在利得を選択することと、
c）前記第１の増幅器が前記現在利得に設定される場合、前記時間間隔のうちの１つに対応する前記デジタルサンプルの数と比較して前記デジタルサンプルの前記値の合計の現在割合を決定することと、
d）前記現在割合を前記スライサの閾値に関連付けられた規定値と比較することと、
e）前記比較に基づいて、前記第１の増幅器に対する前記利得の現在範囲を減らすことと、
f）前記現在割合と前記規定値の差、および予め決定された割合と前記規定値の差の比較に基づいて、それぞれ、新しい現在割合および新しい現在利得として、前記現在割合および前記現在利得、または予め決定された最良比および予め決定された最良利得を選択することと、
g）前記利得の現在範囲が、実質的に定義された利得分解能以下となるまでステップｂからｆを繰り返すことと、
h）前記利得の現在範囲が、ステップｇに従って実質的に前記定義された利得分解能以下である場合、前記第１の増幅器の前記第１の利得として前記現在利得を選択することと
によって前記第１の利得を決定するように構成される、請求項１の装置。
【請求項１１】
前記自動利得制御器は、多くの前記デジタルサンプルと、前記１以上の時間間隔の各々に対応する前記デジタルサンプルの数と比較して前記デジタルサンプルの前記値の合計の差の割合に基づいて、前記第１の増幅器の前記第１の利得を決定するように構成される、請求項１の装置。
【請求項１２】
前記第１の増幅器の前記出力を増幅するように構成される第２の増幅器をさらに具備し、前記自動利得制御器は、前記第１増幅器が前記目標信号ではなく、前記雑音および干渉を出力することが予測される場合、前記１以上の時間間隔の期間の前記デジタルサンプルの前記値の合計に基づいて、前記第２の増幅器の第２の利得を決定するように構成される、請求項１の装置。
【請求項１３】
前記自動利得制御器は、
a）前記第２の増幅器に対する初期利得を設定することと、
b）前記第１の増幅器に対する利得の現在範囲を決定することと、
c）前記第１の増幅器に対する利得の範囲内の現在利得を選択することと、
d）前記第１の増幅器が前記現在利得に設定され、前記第２の増幅器が前記初期利得に設定される場合、前記時間間隔のうちの１つに対応する前記デジタルサンプルの数と比較して前記デジタルサンプルの前記値の合計の現在割合を決定することと、
e）前記現在割合を前記スライサの閾値に関連付けられた規定値と比較することと、
f）前記比較に基づいて、前記第１の増幅器に対する前記利得の現在範囲を減らすことと、
g）前記現在割合と前記規定値の差、および予め決定された比と前記規定値の差の比較に基づいて、それぞれ、新しい現在割合および新しい現在利得として、前記現在割合および前記現在利得、または予め決定された最良割合および予め決定された最良利得を選択することと、
h）前記利得の現在範囲が、実質的に定義された利得分解能以下となるまでステップｃからｇを繰り返すことと、
i）前記利得の現在範囲が、ステップｈに従って実質的に前記定義された利得分解能以下である場合、前記第１の増幅器の前記第１の利得として前記現在利得を選択することと
によって前記第１の利得を決定するように構成される、請求項１２の装置。
【請求項１４】
前記自動利得制御器は、
j）ステップｉで決定されたような前記第１の増幅器に対する前記第１の利得を設定することと、
k）前記第２の増幅器に対する利得の現在範囲を決定することと、
l）前記第２の増幅器に対する利得の範囲内の現在利得を選択することと、
m）前記第２の増幅器が前記現在利得に設定され、前記第１の増幅器が前記第１の利得に設定される場合、前記時間間隔のうちの１つに対応する前記デジタルサンプルの数と比較して前記デジタルサンプルの前記値の合計の現在割合を決定することと、
n）前記現在割合を前記スライサの閾値に関連付けられた規定値と比較することと、
o）前記比較に基づいて、前記第２の増幅器に対する前記利得の現在範囲を減らすことと、
p）前記現在割合と前記規定値の差、および予め決定された割合と前記規定値の差の比較に基づいて、それぞれ、新しい現在割合および新しい現在利得として、前記現在割合および前記現在利得、または予め決定された最良比および予め決定された最良利得を選択することと、
q）前記第２の増幅器に対する前記利得の現在範囲が、実質的に別の定義された利得分解能以下となるまでステップｌからｐを繰り返すことと、
r）前記利得の現在範囲が、ステップｑに従って実質的に前記別の定義された利得分解能以下である場合、前記第２の増幅器の前記第２の利得として前記現在利得を選択することと
によって前記第２の利得を決定するように構成される、請求項１３の装置。
【請求項１５】
前記目標信号が前記第１の増幅器の前記出力に現われる場合、前記スライサからの前記デジタルサンプルに基づいてデータを生成するように構成される復調器をさらに備える、請求項１の装置。
【請求項１６】
前記復調器によって生成された前記データを復号するように構成される復号器をさらに備える、請求項１５の装置。
【請求項１７】
復号された前記データを処理するように構成されるデータ受信装置をさらに備える、請求項１６の装置。